(57)【要約】【課題】  変更や適応調節をすることなく、デジタル画像データをダイレクト刷版システムとダイレクト印刷システムで画像付けできるようにする。【解決手段】  最大で、最大限可能な画像付け判型の広がりを有している指定範囲の位置を設定する（ステップ１６）。指定範囲の幾何学パラメータを、繰り返される折り丁またはこれに類似する折り丁について、ラスターイメージプロセッサに格納することができる（ステップ１８）。ステップ１６で行われる設定の後、特定の幾何学パラメータを記憶させることが可能である（ステップ２０）。画像付けユニットに対応する幾何学パラメータのセットが格納されていれば、このセットを自動的に折り丁に割り当てることもできる（ステップ２２）。最新の折り丁の設定された指定範囲は、予定されている画像付けユニットの解像度の高い出力部のために解釈され、処理されてラスター画像になる（ステップ２４）。【選択図】  図１
2004351922.tif 000002
【特許請求の範囲】
【請求項１】
画像付けユニットの画像付け判型に対応する、折り丁の指定範囲をラスターイメージプロセッサで処理してラスター画像にすることによって、入力画像データの折り丁からデジタル画像付けデータを決定する、画像付けユニットのためのデジタル画像付けデータを生成する方法において、
前記指定範囲を、前記入力画像データの画像面の幾何学パラメータを参照して設定する（１６）ことを特徴とする、画像付けユニットのためのデジタル画像付けデータを生成する方法。
【請求項２】
前記幾何学パラメータをラスターイメージプロセッサに格納する（１８）、請求項１に記載の画像付けユニットのためのデジタル画像付けデータを生成する方法。
【請求項３】
入力画像データが、画像付けユニットの画像付け判型に応じて、画像付け可能な領域と画像付けが不可能な領域とを視覚的に区別するためのマスクとともに、モニタにグレーレベル画像として表示する（１４）、請求項１または２に記載の画像付けユニットのためのデジタル画像付けデータを生成する方法。
【請求項４】
前記幾何学パラメータをインターフェースを介して入力する、請求項１，２または３に記載の画像付けユニットのためのデジタル画像付けデータを生成する方法。
【請求項５】
複数の異なる画像付けユニットについて複数セットの幾何学パラメータが表として記憶されており、画像付けユニットの識別に応じて、識別された画像付けユニットのセットを処理のために採用する、請求項１，２または３に記載の画像付けユニットのためのデジタル画像付けデータを生成する方法。
【請求項６】
入力画像データの折り丁が低い解像度を表示する（１４）、請求項３に記載の画像付けユニットのためのデジタル画像付けデータを生成する方法。
【請求項７】
処理されるべき指定範囲の幾何学パラメータを、画像付け判型に応じて、画像付け可能な領域と画像付け不可能な領域とを視覚的に区別するためのマスクをずらすことによって変更する、請求項３に記載の画像付けユニットのためのデジタル画像付けデータを生成する方法。
【請求項８】
前記幾何学パラメータが、少なくとも１つの参照点、少なくとも、画像付け面の一次独立な２つの方向への画像広がり長さとを含んでいる、請求項１から７までのいずれか１項に記載の画像付けユニットのためのデジタル画像付けデータを生成する方法。
【請求項９】
ラスターイメージプロセッサプログラムを備える、請求項１から８までのいずれか１項に記載の方法を実施するためのラスターイメージプロセッサにおいて、
前記ラスターイメージプロセッサプログラムが、処理されるべき指定範囲を設定するための幾何学パラメータがラスター処理のための入力変数に割り当てられる少なくとも１つのセクションを有していることを特徴とするラスターイメージプロセッサ。
【請求項１０】
データ担体において、
前記データ担体に記憶されたラスターイメージプロセッサプログラムが、請求項１から８までのいずれか１項に記載の方法を実施するために、処理されるべき指定範囲を設定するための幾何学パラメータがラスター処理のための入力変数に割り当てられる少なくとも１つのセクションを含んでいることを特徴とする、データ担体。
【請求項１１】
制御ユニットを備える、版の画像付け装置において、
前記制御ユニットが請求項９に記載のラスターイメージプロセッサを有していることを特徴とする、版の画像付け装置。
【請求項１２】
版露光器において、
請求項１１に記載の画像付け装置を備えていることを特徴とする版露光器。
【請求項１３】
ダイレクト画像付けユニットにおいて、
請求項１１に記載の画像付け装置を備えていることを特徴とするダイレクト画像付けユニット。
【請求項１４】
印刷機において、
請求項１３に記載のダイレクト画像付けユニットを備えていることを特徴とする印刷機。
【発明の詳細な説明】
【技術分野】
【０００１】
本発明は、画像付けユニットの画像付け判型に対応する、折り丁の指定範囲（Aｕｓｓｃｈｎｉｔｔ）をラスターイメージプロセッサで処理してラスター画像にすることによって、入力画像データの折り丁からデジタル画像付けデータを決定する、画像付けユニットのためのデジタル画像付けデータを生成する方法に関する。さらに、本発明は、ラスターイメージプロセッサプログラムを備える、本発明の方法を実施するためのラスターイメージプロセッサに関する。
【背景技術】
【０００２】
グラフィック産業界には、特定の印刷方法に合わせた版を準備するために、表面の特性や構造をデジタル画像付けデータに基づいて的確に局所的に変更することができる、さまざまな画像付け装置がある。基本的に、いわゆるダイレクト印刷システムとダイレクト刷版システムとが区別される。ダイレクト印刷システムでは、デジタル画像付けデータを基礎として、印刷機の印刷ユニットで版または版前駆体の直接的な画像付けが行われる。画像付けユニットを含むデジタル印刷ユニットは、ダイレクト画像付け印刷ユニットとも呼ばれる。ダイレクト刷版システムでは、デジタル画像付けデータを基礎として、版または版前駆体が印刷機に関わりなく印刷前段階の装置で画像付けされる。印刷前段階のこのような装置は版露光器とも呼ぶことができる。ただし、ダイレクト印刷システムとダイレクト刷版システムでは、入力画像データの（枚葉紙の）折り丁の画像付け結果が、大きさに関して互いに異なっている。
【０００３】
ダイレクト刷版システムでは、原則として版全体が画像付けされ、すなわち、非印刷領域を含めた面全体が画像付けされる。このことは当然の帰結として、（抜き取られた枚葉紙の）折り丁のすべての幾何学的な指定が、版全体を対象とすることを意味している。これと対照的にダイレクト画像付け印刷ユニットでは、原理上、最大の印刷判型（最大限画像付け可能な版の面）だけを画像付けすることができる。しかし、最大の印刷判型は常に版の純粋な部分領域にすぎないので、ダイレクト印刷システム用のワンセットのデジタル画像付けデータは、ダイレクト刷版システム用のワンセットのデジタル画像付けデータよりも常に大きい。したがって、デジタル式のダイレクト刷版の画像付けデータは、適応調節をしなればダイレクト画像付け印刷ユニットで使用することができない。従来式の印刷機（たとえばハイデルベルガー・ドルックマシーネンＡＧ社のＳｐｅｅｄｍａｓｔｅｒ７４機）から、ダイレクト画像付け印刷機（たとえばハイデルベルガー・ドルックマシーネンＡＧ社のＳｐｅｅｄｍａｓｔｅｒ７４ＤＩ機）へとジョブを変更するときには（たとえそれが印刷機の１つの判型分類内の変更であっても）、前述したように幾何学形態が異なるので、画像付けされるべき折り丁をそっくり新しく作成する必要があるという不都合がある。ダイレクト画像付け印刷ユニットで画像付けをするための折り丁の幾何学形態に関する情報が、直接的には印刷仕上処理ユニットで使えず、適応調節をしてからでないと使えないという事実も、いっそうの制約であるとみなすことができる。
【０００４】
さらに、たとえば自動式の版打抜き装置といった追加装置を備えた版露光器がますます増えており、そのため、画像付け可能な判型が、版の面全体よりも狭くなっている場合があることも付言しておく。その結果、デジタル画像付けデータの各セットの最大サイズが種々の版露光器の間でまちまちであるために、デジタル画像データの交換は、それぞれのダイレクト刷版システムに合わせた適応調節をしなければ不可能である。
【０００５】
ダイレクト画像付けユニット用、またはダイレクト画像付け印刷機用として現在使われているラスターイメージプロセッサでは、デジタル画像付けデータのあまりに大きなセットは限定的にしか処理することができない。そのため、ラスターイメージプロセッサがとる通常の反応は、処理の中断、画像付けデータの自動的なスケーリングであり、あるいは、ダイレクト画像付け印刷ユニットやダイレクト画像付け印刷機の最大の画像付け判型に合わせた意図的な切り抜きである。こうした反応はすべて不適当な結果につながる。印刷されるべき製品のサイズが必然的に変わってしまうので、スケーリングは是認できないのが普通である。自動的な切り抜きも、ダイレクト刷版システムのこのようなステップは版の隅に通常ある所定の画像付けゼロ点に依存しているのに対して、ダイレクト印刷システムでは版が常に中央で位置決めされるので、同じく目的に適っていない。その結果として参照点が違ってしまうので、印刷されるべき情報も切り抜かれてしまい、そのために、出来あがったものも使い物にならなくなる。
【０００６】
特許文献１より、ラスター画像処理システムが公知である。このシステムでは、プリンタ、自動校正機、フィルムセッター、イメージセッター、ダイレクト画像付けシステム等の異なる複数の出力デバイスのために出力ページが生成される。ページラスターデータと印刷ページ原画が処理されて出力ページがつくられ、印刷ページ原画は、位置、向き、画線部、オフセットパラメータなどに関する情報を含んでいる。ラスターイメージプロセッサでは、これらのデータが抽出され、それにより、印刷ページ原画を画像データに適用できるようになる。ユーザーは、印刷ページ原画を特にモニタに表示し、定義し、変更することができる。印刷ページがどの位置に位置決めされるべきかの情報を、版のさまざまな判型に合わせた出力のために利用することができる。一般的に利用可能な印刷原画を記憶させておくことができる。このような処理システムの欠点は、特に、画像データがすでに全面的にラスター処理された後では、画像付けをするために指定範囲を指定することしかできないことである。したがって、分解能が同じ出力デバイスしか用いることができない。
【特許文献１】欧州特許出願公開明細書１２５８８２８Ａ２
【発明の開示】
【発明が解決しようとする課題】
【０００７】
本発明の目的は、変更や適応調節をすることなく、デジタル画像データをダイレクト刷版システムとダイレクト印刷システムで画像付けできるようにすることである。特に、デジタル画像データをあらためて作成しなくてもすむようにすべきである。
【課題を解決するための手段】
【０００８】
この目的は本発明によれば、請求項１に記載の特徴を備える、画像付けユニットのためのデジタル画像付けデータを生成する方法によって達成され、および、請求項９に記載の特徴を備えるラスターイメージプロセッサによって達成される。本発明の有利な発展例は、従属請求項に記載されている。
【０００９】
本発明によれば、画像付けユニットのためのデジタル画像付けデータを生成する方法は、少なくとも、画像付けユニットの画像付け判型に対応する、折り丁の指定範囲をラスターイメージプロセッサで処理してラスター画像にすることによって、入力画像データの折り丁からデジタル画像付けデータを決定するステップと、指定範囲、特にその位置および／または面積を、入力画像データの画像面（または印刷画像）の幾何学パラメータを参照して設定するステップとを含んでいる。
【００１０】
本発明の方法では、画像面が適切ならば、または印刷画像が適切ならば、比較的大きな判型用の折り丁を処理することができるという利点がある。ダイレクト刷版システム用の入力画像データの比較的大きなセットを、変更なしにダイレクト印刷システムで直接処理することができる。この場合、指定範囲は入力画像データの大きさ全体に比べて小さくなるものの、印刷されるべき情報はそのまま保たれる。デジタル画像データをあらためて作成する必要はない。本発明の方法は、入力画像データの判型に関わりなく、入力画像データの迅速でフレキシブルな処理を可能にする。オリジナルレイアウトデータは不要である。出力に依存して決まる中間判型は作成されない。本発明の方法は、データ処理の時間節約を可能にする。
【００１１】
特に、幾何学パラメータはラスターイメージプロセッサに格納することができる。切抜パラメータとも呼ぶことができる所定の幾何学パラメータをラスターイメージプロセッサに保存することができるので、この幾何学パラメータを、サイズが匹敵する別のダイレクト刷版入力画像データに割り当てることができ、それにより、設定された幾何学パラメータに基づいて、指定範囲の決定をラスターイメージプロセッサで自動的に実行することができる。
【００１２】
これに代えて、またはこれに加えて、入力画像データを、画像付けユニットの画像付け判型に応じて、画像付け可能な領域と画像付けが不可能な領域とを視覚的に区別するためのマスクとともに、モニタでグレーレベル画像として表示することもできる。換言すると、入力画像データの大きなセットのソフトプルーフが、特にラスターイメージプロセッサのモニタに生成される。このソフトプルーフを基礎として、利用者が折り丁の所望の指定範囲（または切り抜き）を選択可能であり、ラスターイメージプロセッサでの次のステップのために設定をすることができる。折り丁は、このようにして定められた指定範囲で、たとえばダイレクト画像付け印刷ユニットで画像付けをするために、ラスター処理することができる。特に、入力画像データの折り丁を低い解像度で表示することができる。有利な実施態様では、処理されるべき指定範囲の幾何学パラメータを、画像付け判型に応じ、画像付け可能な領域と画像付け不可能な領域とを視覚的に区別するためのマスクをずらすことによって変更することができる。
【００１３】
幾何学パラメータを、たとえばキーボードやコンピュータマウスのようなインターフェースを介して入力するのが有利である。これに代えて、複数の異なる画像付けユニットについて、複数セットの幾何学パラメータが表として記憶されていてもよく、それにより、画像付けユニットの識別に応じて、識別された画像付けユニットのセットが処理のために採用される。換言すると、画像付け判型が異なる複数の画像付けユニットについて、複数のセットの幾何学パラメータがラスターイメージプロセッサに格納されていてよく、それにより、使用されるべき画像付けユニットを指定すると、これに対応するセットをスターイメージプロセッサで使うことができる。
【００１４】
幾何学パラメータは、少なくとも１つの参照点または原点と、少なくとも、画像付け面の一次独立な２つの方向への画像の広がり長さ（Ｂｉｌｄａｕｓｄｅｈｎｕｎｇｓｌａｎｇｅ）とを含んでいてよい。
【００１５】
前述した本発明の方法を実施するのに適したラスターイメージプロセッサも、本発明の思想と関連している。このラスターイメージプロセッサは、処理されるべき指定範囲を設定するための幾何学パラメータがラスター処理のための入力変数に割り当てられる少なくとも１つのセクションを有するラスターイメージプロセッサプログラムを含んでいる。
【００１６】
ラスターイメージプロセッサプログラムは、データ担体、特に携帯型のデータ担体、たとえばフレキシブルディスク、光学ＣＤまたはＤＶＤ、磁気光学記憶媒体などに保存または記憶されていてもよい。換言すると本発明のデータ担体は、本明細書に記載の本発明の方法を実施するために、データ担体に記憶されたラスターイメージプロセッサプログラムを備えることを特徴としており、このプログラムは、処理されるべき指定範囲を設定するための幾何学パラメータがラスター処理のための入力変数に割り当てられる少なくとも１つのセクションを含んでいる。
【００１７】
ラスターイメージプロセッサは、版の画像付け装置の制御ユニットの一部であってよい。画像付け装置は、版露光器またはダイレクト画像付け印刷ユニットの一部であってよい。本発明の印刷機は、本発明の画像付け装置を備えるダイレクト画像付け印刷ユニットを有している。この印刷機は、ウェブを処理する印刷機または枚葉紙を処理する印刷機であってよい。通常の被印刷体は用紙、板紙、厚紙、有機ポリマーフィルム、布地等であってよい。枚葉紙を処理する印刷機は、給紙装置と、複数の印刷ユニットと、排紙装置と、場合により少なくとも１つの仕上処理ユニット、たとえば打抜きユニットやニス引きユニットとを含んでいてよい。ウェブを処理する印刷機は、巻取紙交換装置と、それぞれが上側および下側の印刷ユニットを備える複数の印刷塔と、乾燥機と、折り装置とを有している。
【発明を実施するための最良の形態】
【００１８】
次に、本発明の実施の形態について図面を参照して説明する。
【００１９】
図１は、画像付けユニットのためのデジタル画像付けデータを生成する本発明の方法の有利な実施形態のフローチャートを示している。たとえば版の面全体のための大きなダイレクト刷版の判型における入力画像データの完全な折り丁が準備され（ステップ１０）、ラスターイメージプロセッサに供給される。ポストスクリプト・インタープリタを用いて低い解像度で折り丁を解釈し（ステップ１２）、それにより、グレーレベル画像として、つまりラスター処理をせずに、ラスターイメージプロセッサのモニタに表示させることができる（ステップ１４）。このグレーレベル画像をソフトプルーフと呼ぶこともできる。これは、版の画像付けのために設けられている画像付けユニットに左右されることがなく、特に、ダイレクト画像付け印刷ユニットである。画像付けユニットの最大の画像付け判型を超えている領域は、マスクを用いて、重ね合わされたグレー値または重ね合わされたパターンによって目に見えるようにカラーで表示される。最大限可能な画像付け判型はラスターイメージプロセッサに格納されている。そして、所望の必要な指定範囲または切り抜きを設定し、厳密に言えば、最大で、最大限可能な画像付け判型の広がり（Ａｕｓｄｅｈｎｕｎｇ）を有している指定範囲の位置を設定する（ステップ１６）。指定範囲の幾何学パラメータ、特にその位置および／または面積を、繰り返される折り丁またはこれに類似する折り丁について、ラスターイメージプロセッサに格納することができる（ステップ１８）。このとき、異なる画像付けユニットもしくは画像付け判型について、異なるセットの幾何学パラメータを格納することができる。ステップ１６で行われる設定の後、特定の幾何学パラメータを記憶させることが可能である（記憶プロセス２０）。画像付けユニットに対応する幾何学パラメータのセットが格納されていれば、このセットを自動的に折り丁に割り当てることもできる（読取りプロセス２２）。これは、その折り丁について、画像付けされるべき指定範囲を設定しなければならない場合である。最新の折り丁の設定された指定範囲は、予定されている画像付けユニットの解像度の高い出力部のために解釈され、処理されてラスター画像になる（ステップ２４）。
【００２０】
図２は、画像付けユニットの画像付け判型に応じて、画像付け可能な領域と画像付け不可能な領域を、モニタの大きな折り丁（版の面全体）の上で視覚的に区別するためのマスクの位置を示す２つの部分図である。モニタには、大きな折り丁２６がグレーレベル画像として表示される。このグレーレベル画像に、画像付け可能な領域３０と画像付け不可能な領域３２とを含むマスク２８が重ね合わされる。換言すると、最大の画像付け判型（画像付け可能な領域３０）を超える領域が、目に見えるように表示される。図２の左半分の第1の部分図には、画像付け不可能な領域３２が、印刷されるべき画像面３４の一部と重なり合っている様子を見ることができる。そして、操作者がマスクの位置をモニタでインタラクティブに変えることができる。すなわち、コンピュータマウスを使ってモニタ上で部分面の輪郭を描くか、または、キーボードを用いて正確な寸法指定を入力することによって、大きな折り丁の部分面の指定範囲または切り抜きを設定し、もしくは定義することができる。図２の右半分の第２の部分図には、指定範囲を設定した結果として、画像付け可能な領域３０の位置の変位により、印刷されるべき画像面３４が完全に画像付け可能な領域３０に位置している様子を見ることができる。このようにして定められた指定範囲が、処理のときにラスター処理される。
【図面の簡単な説明】
【００２１】
【図１】画像付けユニットのためのデジタル画像付けデータを生成する本発明の方法の有利な実施形態のフローチャートである。
【図２】画像付けユニットの画像付け判型に応じて画像付け可能な領域と画像付け不可能な領域を、モニタの大きな折り丁の上で視覚的に区別するためのマスクの位置を示す２つの部分図である。
【符号の説明】
【００２２】
１０  ステップ
１２  ステップ
１４  ステップ
１６  ステップ
１８  ステップ
２０  記憶プロセス
２２  読取りプロセス
２４  ステップ
２６  折り丁
２８  マスク
３０  画像付け可能な領域
３２  画像付け不可能な領域
３４  画像面
【図１】
2004351922.tif 000003
【図２】
2004351922.tif 000004